(57)【要約】      （修正有）【課題】屋根の雪を地下水を活用して融雪し冬季多発する雪下しの弊害、怪我や人命にかヽわる大事故、交通渋滞交通事故等々を出来るだけ減少させる装置の提供。【解決手段】屋根のトタンと融雪用鉄管を固定させ、井戸７から地下導水管８より揚水用ポンプ９で揚水し、Ｔ字型鉄管６を用いて放水する仕組み。融雪に使用した地下水と融雪水とを雨樋１２を使って地下放水することにより、地盤沈下が抑えられる。比較的安価な融雪装置である。【選択図】図５
2007211576.tif 000002
【特許請求の範囲】
建築物の屋根のトタン板と消雪管との一体化
玄関前より門までのコンクリート通路の消雪にヒントを得ての新らしい試み。
【発明の詳細な説明】
発明の詳細な説明
小生は雪国、山形県米沢市に生れ育ち、今日に至って齢八十才を越えた現在です。
雪は清らかな水をもたらし、豊かな素晴らしい景観を作り出し、又、スキーや雪灯篭などの楽しい面もあります。
反面、今年のような豪雪に見舞われ、生活に大影響を及ぼしております。それで連日マスコミに取り上げられています。
毎年大小はあれ、雪害は免れないのですが、先祖代々が、この地に住む私達の故里を、快適な土地にするために考案したものを紹介致します。
2007211576.tif 000003
2007211576.tif 000004
御参考まで
雪害を列挙しますと
１．屋根の雪下しや、落雪による人身事故
２．道路の除雪、封鎖、交通渋滯、歩行者の転倒による骨折、打撲
３．冬季の火災  避難場所の確保
４．雪下し場所の確保、除雪費
５．電燈線、電話線の確保
以上
子供、病人、老人世帶等弱者でも安心して生活できればと念願するものです。
そこで各地で一番事故の多い屋根の雪下しをなくしたいと考えまして
以下の考案に辿り着いたわけです。
◎トタン板と管と鉄管の一体化を目指す。
屋根のトタン板と鉄管（防錆加工されていれば尚よい）や、プラスチツク管（両方共に片側のみに放水孔をあける）との一体化を図る。
双方を結すびつけるのに金属の止め具を使用し、それに強力接着剤、熔接、鋲打ち  ねじ入れボルトとナツト等の作業を施す。
トタン板とトタン板との接合には強力接着剤が適当である。
○参考例（後で図示）
私宅で現在、玄関前より門までのコンクリート通路（巾１．５ｍ長さ７．５ｍ）は鉄管をコンクリートに埋め込み放水でこれまでの大雪にもかヽわらず完全に消雪がなされています。
・鉄管の放水孔間隔  ２０ｃｍ
・鉄管の直径          ２ｃｍ
・井戸の深さ              ８ｍ（約４間）
・電動機（モーター）使用平成１８年１月３０日取水温度１３℃
2007211576.tif 000005
2007211576.tif 000006
2007211576.tif 000007
【手続補正書】
【提出日】平成18年7月14日(2006.7.14)
【手続補正１】
【補正対象書類名】特許請求の範囲
【補正対象項目名】全文
【補正方法】追加
【補正の内容】
【特許請求の範囲】
【請求項１】
融雪用鉄管と建築物の屋根との一体化を目指し、鉄板を屋根の最上部のトタンの必要箇所に強力接着剤や溶接等の技術を用いて固定させる。その固定された鉄板に融雪管を装置し、融雪の目的を果たす。
【請求項２】
融雪用丁字型鉄管６に孔５をあけ、配管を組み立てる。
【請求項３】
融雪鉄管６を屋根に設置するため、屋根の一部に孔１１をあけると融雪鉄管を通した際、トタン屋根との接触部を漏水防止のため完全にコーデングをする。
【請求項４】
鉄板２の中央部にサドルハンド３を用いて融雪鉄管６と皿タツピングを用いて、ねじ止めし一体化させる。
【請求項５】
融雪管を塩ビ管内に内臓させ、放水孔をあけるため、溝をつくる。プラスチツク管及びプロテクターで融雪管の代用もできる。
【請求項６】
冬季は常に融雪鉄管を開栓しておき、揚水用ポンプモーターを作動させておくこと、雨樋を通して流れ出る地下水と融雪水は各自の敷地内に戻すことを義務づける。
【手続補正２】
【補正対象書類名】明細書
【補正対象項目名】全文
【補正方法】変更
【補正の内容】
【発明の詳細な説明】
【技術分野】
【０００１】融雪用鉄管と屋根トタンとを一体化させ、地下水を揚水用ポンプを使用して周囲の景観を損わずに且、地盤沈下の危惧を払拭させる比較的安価な装置である。
【特許文献１】特開平６−１９３３１０号公報
【特許文南２】
特開２０００−２５７３０４号公報
【０００２】従来の地中熱利用した融雪装置のパイプは融雪範囲配管を通過すると、温度は冷却す。これを防止するため、絶えずパイプの栓を開き、揚水ポンプ電動機を作動させておくことが重要になってくる。
【発明開示】
【発明が解決しようとする課題】
【０００３】前記文献１は温水を広い屋根面積を温水で融雪方法であり、文献２の公知例は水を３５℃に加熱して屋根の雪を融かすものであつて、それぞれヒーターやボイラーが必要であり、装置が大掛りとなって経済的負担が大きい。これらの欠点を除去するのが今回の試みである。
【課題を解決するための手段】
【０００４】冬季は常に融雪鉄管を開栓しておき、揚水用ポンプモーターを作動させておくこと雨樋を通して流れ出る地下水と融雪水は各自の敷地内に戻すことを義務づける。地下水を揚水用電動機によるＴ字型鉄管での放水は融雪の目的が可能である。
【発明の効果】
【０００５】
2007211576.tif 000008
降雪に対処して充分、融雪の効果を発揮して快適に歩行並運搬が可能である。
【発明を実施するための最良の形態】
【０００６】自然の景観を損うことを避けるために屋根に穴をあけＴ字型融雪管の短距離配管を図つた。
【産業上の利用可能性】
【０００７】融雪による地盤沈下を防止するため必らず雨樋を使用しての地上に放水することを義務づけることで工場等建物の立地が可能となる。【０００８】融雪用Ｔ字型鉄管を防錆並防寒用のため、二重管とする。【０００９】この装置の設備コストは他の融雪装置に比べ安価である。
【図面の簡単な説明】
【００１０】
【図１】この発明の骨子に当る屋根トタンと融雪鉄管との接着箇所の正面図
【図２】同上の側面図
【図３】同上の断面図
【図４】揚水ポンプを利用して屋根の一部に孔をあけその孔を通して、棟上まで配置したＴ字型融雪鉄管で放水する正面図
【図５】同上の側面図
【図６】塩ビ管と融水鉄管の二重管の正面図
【図７】同上の断面図
【符号の説明】
【００１１】１、屋根トタン              ８、地下導水管
２、鉄板                    ９、揚水ポンプ
３、サドルハンド          １０、モーター保護室
４、皿タツピング          １１、屋根穴
５、放水孔                １２、雨樋
６、Ｔ字型融雪鉄管        １３、地下放水
７、井  戸                １４、塩ビ管
【手続補正３】
【補正対象書類名】図面
【補正対象項目名】全図
【補正方法】変更
【補正の内容】
【図１】
2007211576.tif 000009
【図２】
2007211576.tif 000010
【図３】
2007211576.tif 000011
【図４】
2007211576.tif 000012
【図５】
2007211576.tif 000013
【図６】
2007211576.tif 000014
【図７】
2007211576.tif 000015
【手続補正書】
【提出日】平成19年4月26日(2007.4.26)
【手続補正１】
【補正対象書類名】図面
【補正対象項目名】全図
【補正方法】変更
【補正の内容】
【図１】
2007211576.tif 000016
【図２】
2007211576.tif 000017
【図３】
2007211576.tif 000018
【図４】
2007211576.tif 000019
【図５】
2007211576.tif 000020
【図６】
2007211576.tif 000021
【図７】
2007211576.tif 000022
【図８】
2007211576.tif 000023
【図９】
2007211576.tif 000024
【図１０】
2007211576.tif 000025
【図１１】
2007211576.tif 000026
【手続補正２】
【補正対象書類名】明細書
【補正対象項目名】００１０
【補正方法】変更
【補正の内容】
【００１０】
【図１】家屋の全体の側面
【図２】屋根の一面
【図３】［図２］の詳細
【図４】雪止めアングルの断面
【図５】図４の詳細
【図６】アスト金（ガネ）と雪止めアングルの屋根の位置関係
【図７】新規アングル（新設の場合）
【図８】アスト金及び雪止めアングルと屋根との関係
【図９】［図８］の詳細と金属ベルト並にアスト金雨樋の側面図
【図１０】金属ベルト上面、及側面
【図１１】アスト金、雪止めアングルと雨樋と屋根の側面
【手続補正３】
【補正対象書類名】明細書
【補正対象項目名】００１１
【補正方法】変更
【補正の内容】
【００１１】１      アスト金の側面図
２      雪止めアングル
３      アスト金
４      Ｌ型鉄板
５      塩ビ管
６、    融雪管
７、    放水孔
８、    二重管
９、    新規アングル
１０    垂（タル）木
１１    金属ベルト
１２、  雨樋
１３、  雨樋抑え
１４、  ボルトナット
１５    棟上
１６    小ねじ鍋止め
（小さなボルトナット）
１７、  トタン板（覆い）
（屋根）